(57)【要約】【課題】長期保存安定性を有し、衣料の吸水性、風合いおよび柔軟性を向上させる液体柔軟剤組成物を提供する。【解決手段】　以下の（Ａ）〜（Ｄ）を必須成分として含有する液体柔軟剤組成物である。（Ａ）特定のカチオン性界面活性剤、（Ｂ）エチレングリコール、プロピレングリコールおよびジエチレングリコールからなる群から選ばれる１種以上の親水性溶剤、（Ｃ）水溶性無機塩、（Ｄ）天然タンパク質を加水分解して得られるペプチド。【選択図】なし【特許請求の範囲】
【請求項１】
以下の（Ａ）〜（Ｄ）を必須成分として含有する液体柔軟剤組成物。
（Ａ）：下記一般式（１）で示されるカチオン性界面活性剤（Ａ１）および下記一般式（２）で示されるカチオン性界面活性剤（Ａ２）からなる群から選ばれる１種以上のカチオン性界面活性剤
【化１】
2004143655.tif 000007
【化２】
2004143655.tif 000008
［式中、Ｒ1およびＲ4は炭素数１〜２４のアルキル基、炭素数２〜２４のアルケニル基または炭素数２〜２４のβ−ヒドロキシアルキル基、Ｒ2およびＲ3は炭素数６〜２４のアルキル基、炭素数６〜２４のアルケニル基、炭素数８〜２４のアルカポリエニル基またはベンジル基であり、２個のＲ2は同一でも異なっていてもよく、Ｚ1は水素原子または式：Ｒ3ＣＯ−で表される基、Ｑは炭素数１〜２４のアルキル基、炭素数２〜２４のアルケニル基、炭素数２〜２４のβ−ヒドロキシアルキル基または式：Ｒ3ＣＯ−ＯＣＨ2ＣＨ2−で表される基、ｆは１〜５の整数であり、Ｘf-は、ｆ価の対イオンである。］
（Ｂ）：グリコール系溶剤および炭素数１〜４のアルコールからなる群から選ばれる１種以上の親水性溶剤
（Ｃ）：水溶性無機塩
（Ｄ）：天然タンパク質を加水分解して得られるペプチド
【請求項２】
（Ａ）が５〜２５質量％、（Ｂ）が１〜１５質量％、（Ｃ）が０．１〜２質量％、（Ｄ）が０．００１〜３質量％であり、且つ２５℃において１０〜５００ｍＰａ・ｓの粘度を有する請求項１記載の液体柔軟剤組成物。
【請求項３】
さらに、下記一般式（３）で示されるノニオン性界面活性剤（Ｅ）を含有する請求項１または２記載の液体柔軟剤組成物。
　　Ｒ5Ｏ−［（Ｃ2Ｈ4Ｏ）m／（Ａ1Ｏ）n］−（Ｃ2Ｈ4Ｏ）p−Ｈ　（３）
［式中、Ｒ5は炭素数８〜２４の脂肪族炭化水素基または脂環式炭化水素基；Ａ1は炭素数３〜８のアルキレン基；ｍは平均が０〜８となる０または１以上の整数、ｎは平均が１〜３となる０または１以上の整数、ｐは平均が１〜８０となる０または１以上の整数であり、（ｍ＋ｎ＋ｐ）は平均が３〜８１となる整数であり、（ｍ＋ｐ）／（ｍ＋ｎ＋ｐ）は平均０．５以上である。［（Ｃ2Ｈ4Ｏ）ｍ／（Ａ1Ｏ）ｎ］は、ｍ≠０、ｎ≠０のときブロック付加またはランダム付加を表す。］
【請求項４】
（Ｅ）が脂肪族系アルコール（ａ１）にアルキレンオキサイド（ｂ１）を付加して製造され、下記(i）および(ii）を満たすノニオン性界面活性剤（Ｅ１）である請求項３記載の液体柔軟剤組成物。
（ｉ）重量平均分子量（Ｍｗ）と数平均分子量（Ｍｎ）との比：Ｍｗ／Ｍｎが下記関係式（４）または（５）を満たす。
　Ｍｗ／Ｍｎ≦０．０３０Ｌｎ（ｖ）＋１．０１０　（但し、ｖ＜１０）（４）
　Ｍｗ／Ｍｎ≦−０．０２６Ｌｎ（ｖ）＋１．１３９（但し、ｖ≧１０）（５）
｛但し、ｖは脂肪族系アルコール（ａ１）１モル当たりに付加したアルキレンオキサイド（ｂ１）の平均付加モル数を示す。｝
(ii)下記式（６）から求められる分布定数ｃが２．０以下である。
　ｃ＝（ｖ＋ｎ0／ｎ00−１）／［Ｌｎ（ｎ00／ｎ0）＋ｎ0／ｎ00−１］ （６）
｛但し、ｖは式（４）または（５）に同じ、ｎ00は反応に用いた脂肪族系アルコール（ａ１）のモル数、ｎ0は未反応の脂肪族系アルコール（ａ１）のモル数を示す。｝
【請求項５】
（Ａ）が、分子中に少なくとも１種のアルケニル基を有し、２０〜１２０のヨウ素価を有する請求項１〜４のいずれか記載の柔軟剤組成物。
【請求項６】
（Ｄ）が、シルク繊維を加水分解して得られたペプチドである請求項１〜５のいずれか記載の液体柔軟剤組成物。
【請求項７】
さらに、３価以上の多価アルコール（Ｆ）を含有する請求項１〜６のいずれか記載の液体柔軟剤組成物。
【発明の詳細な説明】
【技術分野】
【０００１】
　本発明は柔軟剤組成物に関し、さらに詳しくはイミダゾリン型カチオン性界面活性剤またはエステル型カチオン性界面活性剤からなる衣料用液体柔軟剤組成物に関する。
【背景技術】
【０００２】
　市販されている家庭用柔軟剤は、大部分が１分子中に２個の長鎖アルキル基を有する第４級アンモニウム塩を主成分とした組成物である。
例えば、ジ（硬化牛脂アルキル）ジメチルアンモニウムクロライドは、優れた柔軟性と帯電防止能を有するため広く使用されているが、これらを使用した場合、繊維表面が撥水化されてしまうため、繊維の吸水性が悪くなり、着用の際に汗の吸い取りが悪いなどの欠点を有していた。一方、吸水性の優れた柔軟基剤の一つとして知られているジオレイルジメチル第４級アンモニウム塩は、吸水性は改良されたが柔軟性が不十分であり、柔軟性を改良するためにタンパク質を加水分解して得られたペプチドを含む柔軟性組成物（例えば特許文献１参照）や柔軟剤成分とセリシンからなる柔軟剤（例えば特許文献２参照）が提案されている。
【特許文献１】特開平７−１８５７６号公報
【特許文献２】特開２００１−１９２９７０号公報
【発明の開示】
【発明が解決しようとする課題】
【０００３】
しかしながら、従来の柔軟剤組成物は、風合い、柔軟性、吸水性および配合安定性の全てを満足させるものはない。
　本発明は、布地への柔軟性付与効果に優れ、かつ吸水性および配合安定性に優れた衣料用液体柔軟剤組成物を提供することを目的とする。
【課題を解決するための手段】
【０００４】
　本発明者らは、上記の課題を解決すべく鋭意検討した結果、特定の化合物を組み合わせて用いることにより柔軟性、吸水性および配合安定性に優れた液体柔軟剤組成物を見出し本発明に到達した。
【０００５】
　すなわち、本発明は、以下の（Ａ）〜（Ｄ）を必須成分として含有する液体柔軟剤組成物である。
（Ａ）：下記一般式（１）で示されるカチオン性界面活性剤（Ａ１）および下記一般式（２）で示されるカチオン性界面活性剤（Ａ２）からなる群から選ばれる１種以上のカチオン性界面活性剤
【０００６】
【化３】
2004143655.tif 000002
【０００７】
【化４】
2004143655.tif 000003
【０００８】
　式中、Ｒ1およびＲ4は炭素数１〜２４のアルキル基、炭素数２〜２４のアルケニル基または炭素数２〜２４のβ−ヒドロキシアルキル基、Ｒ2およびＲ3は炭素数６〜２４のアルキル基、炭素数６〜２４のアルケニル基、炭素数８〜２４のアルカポリエニル基またはベンジル基であり２個のＲ2は同一でも異なっていてもよく、Ｚ1は水素原子または式：Ｒ3ＣＯ−で表される基、Ｑは炭素数１〜２４のアルキル基、炭素数２〜２４のアルケニル基、炭素数２〜２４のβ−ヒドロキシアルキル基または式：Ｒ3ＣＯ−ＯＣＨ2ＣＨ2−で表される基、ｆは１〜５の整数であり、Ｘf-は、ｆ価の対イオンである。
（Ｂ）：グリコール系溶剤および炭素数１〜４のアルコールからなる群から選ばれる１種以上の親水性溶剤
（Ｃ）：水溶性無機塩
（Ｄ）：天然タンパク質を加水分解して得られるペプチド
【発明の効果】
【０００９】
　本発明の衣料用の液体柔軟剤組成物は、高い水への分散性および長期間の配合安定性、布地への柔軟性および帯電防止性付与効果を有し、従来のものよりも布地の吸水性が顕著に優れている。
【発明を実施するための最良の形態】
【００１０】
　本発明における一般式（１）および（２）において、Ｒ1およびＲ4は直鎖もしくは分岐の炭素数１〜２４、好ましくは炭素数１〜８、さらに好ましくは炭素数１〜４のアルキル基、直鎖もしくは分岐の炭素数２〜２４、好ましくは炭素数２〜８のアルケニル基、又はアルキル基の炭素数２〜２４、好ましくは炭素数２〜８、さらに好ましくは炭素数２〜４のβ−ヒドロキシアルキル基であり、アルキル基としては、メチル基、エチル基、プロピル基、２−エチルヘキシル基、ペンチル基、オクチル、ウンデシル基、トリデシル基、ペンタデシル基およびヘプタデシル基など、アルケニル基としては、ビニル基、プロペニル基、イソプロペニル基、アリル基、メタリル基、オクテニル基、ウンデセニル基、トリデセニル基、ペンタデセニル基およびヘプタデセニル基などが挙げられる。また、β−ヒドロキシアルキル基としては、２−ヒドロキシエチル基、２−ヒドロキシプロピル基、２−ヒドロキシブチル基、２−ヒドロキシラウリル基、２−ヒドロキシパルミチル基、２−ヒドロキシステアリル基などが挙げられる。こららのうち好ましいのは、アルキル基およびβ−ヒドロキシアルキル基、特に好ましいのはメチル基、エチル基、２−ヒドロキシエチル基および２−ヒドロキシプロピル基であり、最も好ましいのはメチル基である。
【００１１】
　Ｒ2およびＲ3は炭素数６〜２４、好ましくは炭素数８〜２４の直鎖もしくは分岐のアルキル基、炭素数６〜２４、好ましくは炭素数８〜２４の直鎖もしくは分岐のアルケニル基、炭素数８〜２４、好ましくは炭素数１０〜２４の直鎖もしくは分岐のアルカポリエニル基（リノレイル基などのアルカジエニル基、およびアルカトリエニル基など）またはベンジル基である。好ましい例はＲ1で例示したアルキル基およびアルケニル基のうち炭素数６〜２４の直鎖のもの、さらに好ましいのはペンタデシル基、ヘプタデシル基、トリデセニル基、ペンタデセニル基、ヘプタデセニル基およびこれらの混合物である。
一般式（１）における２個のＲ2は同一であっても異なっていてもよい。
【００１２】
　一般式（２）におけるＺ1は水素原子または式：Ｒ3ＣＯ−（なお、Ｒ3は前述のＲ3として挙げた基と同様の基が挙げられ、１分子中に２個以上のＲ3を含む場合は同一でも異なっていてもよい）で表される基、例えばオクタノイル基、ラウロイル基、ミリストイル基、パルミトイル基、ステアロイル基およびオレオイル基があげられ、好ましくはパルミトイル基、ステアロイル基、オレオイル基およびこれらの混合物である。
【００１３】
　Ｑは炭素数１〜２４のアルキル基、炭素数２〜２４のアルケニル基、炭素数２〜２４のβ−ヒドロキシアルキル基または式：Ｒ3ＣＯ−ＯＣＨ2ＣＨ2−（なお、Ｒ3は前述のＲ3として挙げた基と同様の基が挙げられ、１分子中に２個以上のＲ3を含む場合は同一でも異なっていてもよい）で表される基であり、これらのうち好ましいのは、炭素数１〜４のアルキル基および炭素数２〜４のβ−ヒドロキシアルキル基および式：Ｒ3ＣＯ−ＯＣＨ2ＣＨ2−で表される基、特に好ましいのはメチル基、エチル基、２−ヒドロキシエチル基、２−ヒドロキシプロピル基、並びにＲ3ＣＯ−、パルミトイル基、ステアロイル基、オレオイル基およびこれらの混合物である式：Ｒ3ＣＯ−ＯＣＨ2ＣＨ2−で表される基である。
【００１４】
　一般式（１）および（２）中のｆは１〜５、好ましくは１〜３の整数であり、Ｘf-はｆ価の対イオンであり、ハロゲンイオン（クロルイオン、フッ素イオン、臭素イオンおよびヨウ素イオン）、ＯＨ-、無機酸アニオン（炭酸アニオン、燐酸アニオンおよび硫酸アニオンなど）、および有機酸アニオンが挙げられる。有機酸アニオンを構成する有機酸としては、１価または２価〜５価のカルボン酸類［炭素数１〜１８の１価の脂肪族カルボン酸（蟻酸、酢酸、酪酸、カプリル酸、２−エチルヘキサン酸、ノナン酸およびドデカン酸など）、２〜５価の脂肪族カルボン酸（しゅう酸、アジピン酸、クエン酸、イタコン酸など）、並びに芳香族カルボン酸（安息香酸、フタル酸およびトリメリット酸など）］、スルホン酸類（炭素数１〜１８のアルキル基を有するスルホン酸、例えばメチルスルホン酸およびエチルスルホン酸など、炭素数１〜１８のアルキル基を有するアルキル置換芳香族スルホン酸、例えばｐ−トルエンスルホン酸およびドデシルベンゼンスルホン酸など、ナフタレンスルホン酸並びにｐ−フェノールスルホン酸など）、硫酸エステル類（炭素数１〜１２のアルキルもしくはアルケニル基を有する硫酸エステル、たとえばメチル硫酸エステル、エチル硫酸エステル、オクチル硫酸エステル、２−エチルヘキシル硫酸エステル、デシル硫酸エステルおよびドデシル硫酸エステルなど）、リン酸エステル類（炭素数１〜１２のアルキルもしくはアルケニル基を有する燐酸エステル、たとえばオクチル燐酸エステル、２−エチルヘキシル燐酸エステル、デシル燐酸エステルおよびドデシル燐酸エステルなど）、並びに炭素数６〜３６の１〜４価のフェノール類（フェノール、ｐ−クロロフェノール、β−ナフトール、ｏ−およびｐ−ニトロフェノール、ｐ−アミノフェノール、カテコールおよびレゾルシンなど）などが含まれる。Ｘf-のうち好ましいのはクロルイオン、メチル硫酸イオン、エチル硫酸イオンおよびメチル炭酸イオンで、特に好ましいのは、メチル硫酸イオンおよびエチル硫酸イオンである。
【００１５】
　本発明における（Ａ）は、好ましくは、分子中に少なくとも１種（好ましくは１〜３種、さらに好ましくは１種）のアルケニル基を有するカチオン性界面活性剤の１種以上を含有する。
　（Ａ１）は、一般式（１）におけるＲ2のうちの少なくとも一部が炭素数８〜２４のアルケニル基、特に、ヘプタデセニル基、ペンタデセニル基またはトリデセニル基であることが好ましく、ヘプタデセニル基であることがとりわけ好ましい。（Ａ２）は、一般式（２）におけるＲ3のうちの少なくとも一部、またはＺ1を構成するＲ3のうちの少なくとも一部が炭素数８〜２４のアルケニル基、特に、ヘプタデセニル基、ペンタデセニル基またはトリデセニル基であることが好ましく、ヘプタデセニル基であることがとりわけ好ましい。
　（Ａ）は、ヨウ素価が、通常０〜１４０、好ましくは２０〜１２０、さらに好ましくは４０〜１００、特に好ましくは５０〜９０である。　ヨウ素価が２０以上であれば吸水性がさらに良好になり、１２０以下であれば、さらに柔軟性が向上しやすい。
【００１６】
　一般式（１）で表されるカチオン性界面活性剤（Ａ１）のうち好ましいものの例としては、Ｒ1がメチル、エチル、ブチルまたはβ−ヒドロキシエチル基で、Ｒ2がペンタデシル、ヘプタデシル、ヘプタデセニルおよび／または２−ヒドロキシオクチル基のもの、具体的には以下に示す（Ａ１１）〜（Ａ１５）等があげられる。
（Ａ１１）Ｒ1＝メチル基、Ｒ2＝ヘプタデセニル基、Ｘf-＝ＣＨ3ＳＯ4- 、ｆ＝１
（Ａ１２）Ｒ1＝メチル基、Ｒ2＝ヘプタデセニル基／ヘプタデシル基（６０／４０質量％；以下において特に限定しない限り、％は質量％を表す）、Ｘf-＝ＣＨ3ＳＯ4- 、f＝１
（Ａ１３）Ｒ1＝β−ヒドロキシエチル基、Ｒ2＝ペンタデシル基／ヘプタデセニル基（３０／７０％）、Ｘf-＝ＣＨ3ＳＯ4- 、ｆ＝１
（Ａ１４）Ｒ1＝メチル基、Ｒ2＝ペンタデシル基／ヘプタデシル基（４０／６０％）、Ｘf-＝Ｃｌ- 、ｆ＝１
（Ａ１５）Ｒ1＝エチル基、Ｒ2＝ペンタデシル基、Ｘf-＝Ｃ2Ｈ5ＳＯ4- 、ｆ＝１
　一般式（２）で示されるカチオン性界面活性剤（Ａ２）のうち好ましいものの例としては、Ｒ4がメチル、エチル、ブチルまたはβ−ヒドロキシエチル基、Ｒ3がペンタデシル、ヘプタデシル、ヘプタデセニルおよび／または２−ヒドロキシオクチル基、Ｚ1が水素、ミリストイル、パルミトイル、ステアロイルおよび／またはオレオイル基、並びにＱがメチル、エチルまたはβ−ヒドロキシエチル基のもの、具体的には以下に示す（Ａ２１）〜（Ａ２４）があげられる。
（Ａ２１）Ｒ4＝メチル基、Ｒ3＝ヘプタデシル基／ヘプタデセニル基（３７／６３％）、Ｚ1＝ステアロイル基／オレオイル基（３７／６３％）、Ｑ＝β−ヒドロキシエチル基、Ｘf-＝ＣＨ3ＳＯ4- 、ｆ＝１
（Ａ２２）Ｒ4＝メチル基、Ｒ3＝ヘプタデセニル基、Ｚ1＝オレオイル基、
　　　　　Ｑ＝β−ヒドロキシエチル基、Ｘf-＝ＣＨ3ＳＯ4- 、ｆ＝１
（Ａ２３）Ｒ4＝エチル基、Ｒ3＝ペンタデシル基、Ｚ1＝ステアロイル基、
　　　　　Ｑ＝メチル基、Ｘf-＝Ｃ2Ｈ5ＳＯ4- 、ｆ＝１
（Ａ２４）Ｒ4＝メチル基、Ｒ3＝ペンタデシル基／ヘプタデシル基（４０／６０％）、Ｚ1＝パルミトイル基／ステアロイル基（４０／６０％）、
　　　　　Ｑ＝β−ヒドロキシエチル基、Ｘf-＝Ｃｌ-
【００１７】
　（Ａ１）は、例えば、パルミチン酸、ステアリン酸、オレイン酸などの炭素数６〜２４の脂肪酸にジエチレントリアミンとを１５０〜２００℃で加熱縮合させて得られたアミド型の第３級アミンを塩酸、酢酸などの酸で中和する方法、又は該アミド型の第３級アミンをメチルクロライド、ベンジルクロライド、ジメチルカーボネート、ジエチルカーボネート、ジメチル硫酸、ジエチル硫酸などのアルキル化剤を加圧下、加熱して反応する方法などで得られる。
【００１８】
　（Ａ２）は、例えば、パルミチン酸、ステアリン酸、オレイン酸などの炭素数６〜２４、好ましくは８〜２４の脂肪酸とトリエタノールアミンを１５０〜２００℃で加熱縮合させてエステル型の第３級アミンを作り、これに塩酸、酢酸などの酸で中和する方法や、前記のアルキル化剤を加圧下、加熱して反応する方法などで得ることができる。
【００１９】
　（Ａ）のうち、好ましいものは（Ａ１）または（Ａ１）と（Ａ２）の併用であり、併用の場合の（Ａ１）／（Ａ２）の好ましい質量比率は、４０／６０〜９８／２、さらに好ましくは５０／５０〜８０／２０である。
【００２０】
　本発明における親水性溶剤（Ｂ）は、グリコール系溶剤および炭素数１〜４のアルコールからなる群から選ばれる１種以上である。
グリコール系溶剤としては総炭素数２〜１０のグリコール系溶剤、例えばエチレングリコール、ジエチレングリコール、プロピレングリコール、ジプロピレングリコール、１，２−ブチレングリコールおよび１，３−ブチレングリコー等のグリコール、モノアルキルエーテル｛エチレングリコールモノブチルエーテル、ジエチレングリコールモノエチルエーテル、ジエチレングリコールモノブチルエーテルおよびジプロピレングリコールモノメチルエーテルなど｝、並びにジアルキルエーテル｛エチレングリコールジメチルエーテル、ジエチレングリコールジメチルエーテル、トリエチレングリコールジメチルエーテル、ジエチレングリコールジエチルエーテル、およびジエチレングリコールイソプロピルメチルエーテルなど｝が挙げられる。
炭素数１〜４のアルコールとしてはメタノール、エタノール、プロパノール、イソプロピルアルコール、ブタノールおよびｔ−ブチルアルコール等が挙げられる。
（Ｂ）のうち好ましいのはグリコール系溶剤であり、さらに好ましいのはグリコール、特にエチレングリコール、プロピレングリコールおよびジエチレングリコール、とりわけ好ましいのはプロピレングリコールである。また、２種以上を併用する場合の比率は特に限定されない。
【００２１】
本発明における水溶性無機塩（Ｃ）としては、２５℃での１００ｇの水に対して１０ｇ以上溶解することのできる無機塩が含まれ、例えばアルカリ金属塩［ハロゲン化物（塩化ナトリウム、塩化カリウム、臭化ナトリウム、フッ化ナトリウムなど）、硫酸塩（硫酸ナトリウム、硫酸カリウムなど）およびリン酸塩（リン酸ナトリウム、リン酸カリウムなど）］、アルカリ土類金属塩［ハロゲン化物（塩化カルシウム、塩化マグネシウムなど）および硫酸塩（硫酸マグネシウムなど）］並びにアンモニウム塩［ハロゲン化物（塩化アンモニウムなど）および硫酸塩（硫酸アンモニウムなど）］があげられる。
これらのうち好ましくは、アルカリ金属塩、特に塩化ナトリウムまたは硫酸ナトリウムである。
【００２２】
　本発明におけるペプチド（Ｄ）は、天然タンパク質を加水分解して得られるペプチドであって、通常、２個以上のアミノ酸がペプチド結合によって結合したものである。重量平均分子量（ＧＰＣによる測定）は好ましくは、好ましくは２００〜５０，０００、さらに好ましくは４００〜１０，０００である。
　天然タンパク質としては、牛皮もしくは豚皮等の動物由来のコラーゲン［例えば、「コラプトンＳ」川研ファインケミカル（株）製］、野菜または大豆由来のタンパク質［例えば、「ハイドロソラナム」および「ライゾソル」など：クローダジャパン（株）製］、および絹もしくは羊毛等の天然繊維由来のタンパク質などがあげられる。これらのうち好ましくは絹由来のタンパク質である。
絹を加水分解して得られたタンパク質の例としては、「クロシルクリキッド」クローダジャパン（株）製、「プロモイスシルク−１０００」（株）成和化成製および「シルクゲンＧソルブル」一丸ファルコス（株）製などが挙げられる。
【００２３】
　本発明の液体柔軟剤組成物の質量に基づく（Ａ）の含有量は、好ましくは５〜２５％、さらに好ましくは８〜２０％、特に好ましくは１０〜１８％である。（Ｂ）の含有量は、好ましくは１〜１５％、さらに好ましくは２〜１２％、特に好ましくは４〜１０％である。（Ｃ）の含有量は、好ましくは０．１〜２％、さらに好ましくは０．２〜１．５％、特に好ましくは０．４〜１．０％である。（Ｄ）の含有量は、好ましくは０．００１〜３．０％、さらに好ましくは０．００３〜２．０％、特に好ましくは０．００５〜１．０％である。この範囲であると柔軟性、吸水性および配合安定性が特に優れる。
【００２４】
　また、本発明の液体柔軟剤組成物は、さらに、下記一般式（３）で表される化合物の１種または２種以上の混合物からなるノニオン界面活性剤（Ｅ）および３価以上の多価アルコール（Ｆ）を含有することが吸水性および配合安定性の観点から好ましい。
【００２５】
　　Ｒ5Ｏ−［（Ｃ2Ｈ4Ｏ）m／（Ａ1Ｏ）n］−（Ｃ2Ｈ4Ｏ）p−Ｈ　（３）
【００２６】
　式中、Ｒ6は、脂肪族系アルコールの残基であり、炭素数が通常８〜２４（好ましくは１２〜１８）の脂肪族炭化水素基［例えば直鎖および／または分岐状の飽和もしくは不飽和脂肪族炭化水素基（アルキル基、アルケニル基およびアルカジエニル基など）］または脂環式炭化水素基［例えばシクロアルキル基および多環式炭化水素基など］を表す。
　Ｒ6としては、前述のＲ1およびＲ4で挙げたアルキル基およびアルケニル基のうちの炭素数８〜２４のもの、アルカジエニル基としては、たとえばリノレイル基などが挙げられる。シクロアルキル基としては、たとえばエチルシクロへキシル基、プロピルシクロヘキシル基、オクチルシクロヘキシル基、ノニルシクロヘキシル基などが挙げられる。多環式炭化水素としては、たとえばアダマンチル基などが挙げられる。これらのうち好ましいものはアルキル基およびアルケニル基、さらに好ましいものは炭素数１０〜１８のアルキル基および炭素数１４〜２０のアルケニル基である。
【００２７】
　脂肪族系アルコールは、天然アルコールでも合成アルコール（チーグラーアルコール、オキソアルコールなど）でもよい。
　脂肪族系アルコールの水酸基は１級または２級であることが好ましく、１級が特に好ましい。また、アルキル基部分は直鎖状でも分岐状でもよい。脂肪族アルコールとして特に好ましいものはドデシルアルコール、トリデシルアルコール、テトラデシルアルコール、ヘキサデシルアルコール、オクタデシルアルコールおよびオレイルアルコールである。
【００２８】
　Ａ1は炭素数３〜８のアルキレン基または置換アルキレン基を表し、好ましいのは炭素数３のアルキレン基である。（Ａ1Ｏ）の部分は、炭素数３以上のアルキレンオキシド（以下、ＡＯと略記）の付加により形成される。このようなＡＯとしては、プロピレンオキシド（以下、ＰＯと略記）、１，２−または２，３−ブチレンオキシド、テトラヒドロフラン、スチレンオキサイドおよびこれらの２種以上の併用が挙げられる。好ましくはＰＯである。
【００２９】
　一般式（３）中、ｍは、平均が０〜８、好ましくは１〜４となる０または１以上の整数である。ｎは、平均が０〜３となる０または１以上の整数であり、好ましくは１または２である。ｐは、平均が通常１〜８０となる０または１以上の整数であり、好ましくは５〜７０、特に好ましくは１５〜４０の整数である。
　（ｍ＋ｎ＋ｐ）は、平均が通常３〜８１、好ましくは１１〜５１の整数である。（ｍ＋ｐ）／（ｍ＋ｎ＋ｐ）は通常０．５以上、好ましくは０．７〜０．９９である。［（Ｃ2Ｈ4Ｏ）ｍ／（ＡＯ）ｎ］の部分は、ブロック付加〔（Ｃ2Ｈ4Ｏ）ｍ、（ＡＯ）ｎの順〕でもランダム付加でも良いが、好ましくはブロック付加である。
【００３０】
　（Ｅ）の重量平均分子量（Ｍｗ）は、通常２６１〜５，０００、好ましくは３００〜１，２００である。〔分子量の測定はゲルパーミエーションクロマトグラフ（ＧＰＣ）による。以下も同じ。〕
　（Ｅ）は好ましくはＭｗと数平均分子量（Ｍｎ）との比（Ｍｗ／Ｍｎ）が下記関係式（４）または（５）を満たすものである。
Ｍｗ／Ｍｎ≦０．０３０×Ｌｎ（ｖ）＋１．０１０                （４）
　　（但し、ｖ＜１０の場合に適用）
Ｍｗ／Ｍｎ≦−０．０２６×Ｌｎ（ｖ）＋１．１３９　　　　　　　（５）
　　（但し、ｖ≧１０の場合に適用）
　上記式（４）またな（５）で、Ｌｎ（ｖ）はｖの自然対数を意味し、ｖは脂肪族系アルコール１モル当たりに付加したＡＯの平均付加モル数を表し、前記一般式（３）での各ＡＯの付加モル数であるｍとｎとｐの合計の平均に相当する。
　関係式（４）または（５）を満たす場合、すなわち分子量分布が狭くなるとさらに充分な界面活性能が得られる。
　また、Ｍｗ／Ｍｎは下記関係式（４’）または（５’）を満たすことがより好ましい。
Ｍｗ／Ｍｎ≦０．０３０×Ｌｎ（ｖ）＋１．０００　　　　　　　（４'）
　　　（但し、ｖ＜１０の場合に適用）
Ｍｗ／Ｍｎ≦−０．０２６×Ｌｎ（ｖ）＋１．１２９　　　　　　（５'）
　　　（但し、ｖ≧１０の場合に適用）
【００３１】
　（Ｅ）は、関係式（４）または（５）を満たし、さらに、下記分布定数ｃが２．０以下であるもの（Ｅ１）が好ましい。
ｃは、下記Ｗｅｉｂｕｌｌの分布則の式（６）から導き出される関係式（７）から求めることができる。
ｃはさらに好ましくは１．５以下、とくに好ましくは１．０以下である。関係式（７）において、分布定数ｃの値が小さい、すなわち未反応の脂肪族系アルコールの含有量が少ないほど分子量分布が狭いことを意味する。　なお、この式は、未反応の脂肪族系アルコールの量が検出限界（０．００１質量％）以上の場合に適用される式であり、ＡＯの平均付加モル数が１２モルまで適用可能である。
ｖ＝ｃ×Ｌｎ（ｎ00／ｎ0）−（ｃ−１）×（１−ｎ0／ｎ00）        （６）
ｃ＝（ｖ＋ｎ0／ｎ00−１）／［Ｌｎ（ｎ00／ｎ0）＋ｎ0／ｎ00−１］  （７）
　これらの式で、Ｌｎ（ｎ00／ｎ0）は（ｎ00／ｎ0）の自然対数を意味し、ｖは上記に同じ、ｎ00は反応に用いた脂肪族系アルコールのモル数、ｎ0は未反応の脂肪族系アルコールのモル数を表す。
【００３２】
　（Ｅ）の含有量は、液体柔軟剤組成物の質量に基づいて好ましくは０〜１０％、さらに好ましくは０．５〜８％、特に好ましくは１〜５％である。この範囲内のものが性能（水への分散性、長期保存安定性）がとくに優れる。
【００３３】
　（Ｆ）としては、３〜１６の水酸基を有する炭素数３〜３６のアルカンポリオール（トリオール、例えばトリメチロールプロパン、グリセリンおよびヘキサントリオール等；４〜６価およびそれ以上の高官能多価アルコール、例えばペンタエリスリトール、ソルビトール、キシリトールおよびマンニトール等）、これらの分子間または分子内脱水物（ジグリセリン、ジペンタエリスリトール、ソルビタン等）、糖類（グルコース、フラクトース、ショ糖等）およびその誘導体（グルコシド、例えばα−メチルグルコシド）等が挙げられる。これらのうち好ましくは、グリセリン、ジグリセリン、ソルビタン、ソルビトールおよびグルコシドであり、特に好ましいのは、グリセリン、ソルビタン、ソルビトールである。
　また、（Ｆ）の含有量は、液体柔軟剤組成物の質量に基づいて好ましくは０〜５％、さらに好ましくは０．２〜３％、特に好ましくは０．５〜２％である。この範囲内のものが性能（吸水性、長期保存安定性）がとくに優れる。
【００３４】
　本発明の液体柔軟剤組成物は、（Ｅ）以外の非イオン界面活性剤（Ｇ）、アニオン界面活性剤（Ｈ）、両性界面活性剤（Ｉ）、（Ａ）以外のカチオン性界面活性剤（Ｊ）のいずれの界面活性剤を含有してもよい。これらのうち好ましいものは（Ｇ）または（Ｊ）である。
【００３５】
　（Ｇ）としては、多価アルコール型非イオン界面活性剤（Ｇ１）、アルキレンオキサイド付加型非イオン界面活性剤（Ｇ２）およびアルキルアミンオキシドなどが挙げられる。これらのうち好ましくは（Ｇ１）である。
（Ｇ１）としては、ソルビタン脂肪酸エステル、グリセリン脂肪酸エステル、ペンタエリスリット脂肪酸エステル、ショ糖脂肪酸エステルおよび脂肪酸アルカノールアミドなどが挙げられる。これらのうち好ましいのは、ソルビタン脂肪酸エステルである。
（Ｇ２）としては、脂肪酸ＡＯ付加物、高級アルキルアミンＡＯ付加物、多価アルコール（ソルビタンなど）脂肪酸エステルのエチレンオキサイド（以下、エチレンオキサイドはＥＯと略記）付加物、脂肪酸アミドエチレンオキサイド付加物などが挙げられる。これらのうち好ましいのはソルビタン脂肪酸エステルのＥＯ付加物である。
【００３６】
　（Ｈ）としては、炭素数８〜２４の炭化水素基を有するエーテルカルボン酸またはその塩［（ポリ）オキシエチレン（重合度＝１〜１００）ラウリルエーテル酢酸ナトリウムなど］、炭素数８〜２４の炭化水素基を有するエーテル硫酸エステル塩［（ポリ）オキシエチレン（重合度＝１〜１００）ラウリル硫酸ナトリウムなど］、炭素数８〜２４の炭化水素基を有するスルホコハク酸エステル塩［スルホコハク酸モノもしくはジアルキルエステルのジもしくはモノナトリウム塩、スルホコハク酸（ポリ）オキシエチレン（重合度＝１〜１００）モノもしくはジアルキルエステルのジもしくはモノナトリウム塩等］、（ポリ）オキシエチレン（重合度＝１〜１００）ヤシ油脂肪酸モノエタノールアミド硫酸ナトリウム、炭素数８〜２４の炭化水素基を有するスルホン酸塩［ドデシルベンゼンスルホン酸ナトリウム等］、炭素数８〜２４の炭化水素基を有するリン酸エステル塩［ラウリルリン酸ナトリウム、（ポリ）オキシエチレン（重合度＝１〜１００）ラウリルエーテルリン酸ナトリウム等］、脂肪酸塩［ラウリン酸ナトリウム、ラウリン酸トリエタノールアミン等］、アシル化アミノ酸塩［ヤシ油脂肪酸メチルタウリンナトリウム、ヤシ油脂肪酸ザルコシンナトリウム、ヤシ油脂肪酸サルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム、ラウロイルメチル−β−アラニンナトリウム等］等が挙げられる。これらのうち好ましいものは、エーテルカルボン酸またはその塩、脂肪酸塩およびアシル化アミノ酸塩である。
【００３７】
　（Ｉ）としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ウリルヒドロキシスルホベタイン、ラウロイロアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］などが挙げられる。
【００３８】
　（Ｊ）としては、アルキルトリメチルアンモニウム塩［セチルトリメチルアンモニウムクロライド、ステアリルトリメチルアンモニウムクロライド等］、ジアルキルジメチルアンモニウム塩［ジデシルジメチルアンモニウムクロライド、ジラウリルジメチルアンモニウムクロライド、ジステアリルジメチルアンモニウムクロライド等］、アルキルピリジニウム塩［セチルピリジニウムクロライド、ステアラミドメチルピリジニウムクロライド等］が挙げられる。これらのうち好ましいものは、アルキルトリメチルアンモニウム塩およびジアルキルジメチルアンモニム塩である。
【００３９】
　（Ｇ）、（Ｈ）、（Ｉ）および／または（Ｊ）の合計の含有量は、液体柔軟剤組成物の質量に基づいて好ましくは０〜１０％、さらに好ましくは０〜８％、特に好ましくは０．５〜５％である。
【００４０】
　本発明の液体柔軟剤組成物には、必要に応じて、液体柔軟剤組成物の質量に基づいて、０．０１〜５％の量の抗菌剤（イソチアゾリン系、カーバニド系、イミダゾール系、ビグアナイド系、チアゾール系抗菌剤等）、香料（ｄ−リモネン、シンアミックアルデヒド、メチルヨノン等）、着色剤（青色１号、緑色３号、赤色１号等）、および（Ｄ）以外の保湿成分（オリーブ油、アボガド油、ヒアルロン酸、レシチン、アルギン酸塩、ラノリン等）等を必要により含有せせることができる。
【００４１】
　本発明の液体柔軟剤組成物は、２０℃で液体であり、乳化液または透明均一液
である。
また、本発明の液体柔軟剤組成物の有効成分濃度［液体柔軟剤組成物の質量に基づく、水と（Ｂ）以外の成分の質量百分率］は、好ましくは１０〜６０％、さらに好ましくは２０〜４０％である。
本発明の液体柔軟剤組成物の２５℃における粘度は、好ましくは１，０００ｍＰａ・ｓ、さらに好ましくは１０〜５００ｍＰａ・ｓ、特に好ましくは１０〜３００ｍＰａ・ｓである。
【００４２】
　本発明の柔軟剤組成物は、天然繊維、合繊繊維およびこれらの混紡交編繊繊維の柔軟性付与に特に有用である。
　天然繊維としては、木綿、麻、羊毛などが挙げられ、化合繊繊維としてはレーヨン、アセテートなどの再生セルロース繊維、ポリエステル、ポリアミド繊維、アクリル、スパンデックスなどの合成繊維が挙げられる。これらの混紡交編繊繊維としては、木綿や麻と他の繊維（羊毛、ポリエステル、ポリアミド、アクリルなど）、羊毛と他の繊維（ポリエステル、ポリアミド、アクリルなど）、ポリエステル繊維と他の繊維（レーヨン、アセテート、ポリアミド、アクリル、スパンデックスなど）、ポリアミド繊維と他の繊維（レーヨン、アセテート、アクリル、スパンデックスなど）が挙げられる。
繊維の形態としては、布、不織布、編織物および衣服などが挙げられる。
【００４３】
　本発明の液体柔軟剤組成物は、通常１ｐｐｍ〜０．５％の範囲の濃度（有効成分）で使用される。
【００４４】
　浴比は特に限定されないが通常１：４〜１：４０、好ましくは１：６〜１：３０である。
【００４５】
　本発明の液体柔軟剤組成物の使用温度は適用する繊維の種類によって任意に選択できるが、通常５〜８０℃、好ましくは２０〜５０℃である。
【００４６】
実施例
　以下、実施例および製造例により本発明をさらに詳細に説明するが、本発明はこれに限定されるものではない。以下において、部は質量部を示す。
【００４７】
製造例１
　加熱冷却装置、撹拌装置、温度計、窒素導入官、窒素排出管、滴下ロートを装着したガラス製耐圧容器にオレイン酸メチル６００部、ジエチレントリアミン１０４部および次亜燐酸１部を仕込み、液中に窒素を通じながら１５０℃まで昇温する。密閉にしてから徐々に減圧にした後、メタノールおよび水を留去しながら１５０℃で約５時間反応させた。１００℃に冷却後、プロピレングリコール２４３部を仕込み、７５〜８５℃でジメチル硫酸１２９部を徐々に滴下して、カチオン性界面活性剤（Ａ１１）７５％とプロピレングリコール２５％からなる溶液（Ａ１１Ｐ）を得た。
【００４８】
製造例２
　製造例１と同様の耐圧容器にオレイン酸３６０部、ステアリン酸２４０部、ジエチレントリアミン１０４部および次亜燐酸１部を仕込み、液中に窒素を通じながら１５０℃まで昇温する。徐々に減圧にした後、水を留去しながら１５０℃で５時間反応させた。１００℃に冷却後、プロピレングリコール２４３部を仕込み、７５〜８５℃でジメチル硫酸１２９部を徐々に滴下して、カチオン性界面活性剤（Ａ１２）７５％とプロピレングリコール２５％からなる溶液（Ａ１２Ｐ）を得た。
【００４９】
実施例１〜１４、比較例１〜４
　以下の成分を、表１および表２の部数使用し、水を加えて１００部となるように室温で配合し、液体柔軟剤組成物を作製した。
（Ａ１１Ｐ）、
（Ａ１２Ｐ）、
（Ａ２３Ｐ）：（Ａ２３）７５％とプロピレングリコール２５％からなる溶液、
（Ａ２４Ｐ）：（Ａ２４）７５％とプロピレングリコール２５％からなる溶液、
（Ｘ１）：ジステアリルジメチルアンモニウムクロライド、
（Ｘ２）：ジオレイルジメチルアンモニウムクロライド、
（Ｄ１）：「クロシルクリキッド」　クローダジャパン（株）製、
（Ｄ２）：「シルクゲンＧソルブル」　一丸ファルコス（株）製 、
（Ｄ３）：「コラプトンＳ」　川研ファインケミカル（株）製、
非イオン性界面活性剤（Ｅ１）〜（Ｅ３）：下記表１に記載のもの、
プロピレングリコール、硫酸ナトリウムおよびグリセリン。
【００５０】
【表１】
2004143655.tif 000004
【００５１】
　表１において、（ＥＯ）‖（ＰＯ）はランダム付加、−（ＥＯ）はブロック付加を示す。
【００５２】
性能試験例１
実施例１〜１６および比較例１〜４の柔軟剤を４０℃の恒温槽にて１カ月静置し、配合安定性を評価した。その結果を表２および３に示した。
＜評価基準＞
各試料を下記基準で評価した。
　　○：均一に乳化　△：わずかに不均一層あり　×：二層に完全分離
【００５３】
　表２および３の結果より、本発明の柔軟剤組成物は優れた配合安定性を有していることがわかる。
【００５４】
性能試験例２
　実施例１〜１４および比較例１〜３の柔軟剤について、下記の試験条件で柔軟性の評価を行った。その結果を表２および３に示した。
＜処理条件＞
　濃度が０．０３％になるように柔軟剤組成物を水で希釈し、試験液１，０００部を作成した。それに試布（綿ブロード２４×２４ｃｍ）を入れ５分間浸せきした（浴比１：３０）。次いで、遠心脱水機で絞り（絞り率１００％）、さらに風乾して試料とした。
＜柔軟性評価方法＞
　各試料を、水のみで処理した試布と比較し、触感にて下記基準で評価した。
　（評価基準）
　　　◎：弾力性および柔軟性に優れる
　　　○：弾力性および柔軟性が良好
　　　△：弾力性および柔軟性が水で処理したものよりわずかに良好
　　　×：弾力性および柔軟性不良（水で処理したものと同レベル）
＜吸水性評価方法＞
　各試料を１×２４ｃｍに裁断し、垂直につるして底部を端から１ｃｍ、２５℃の水溶液に漬けた状態で１０分後の上昇した水の高さ（ｍｍ）を測定する。
【００５５】
　表２および３の結果より、本発明の組成物を用いた各実施例は、いずれも各比較例と比べると吸水性および柔軟性が優れている。
【００５６】
【表２】
2004143655.tif 000005
【００５７】
【表３】
2004143655.tif 000006
【産業上の利用可能性】
【００５８】
　本発明の柔軟剤組成物は、家庭用をはじめ各種繊維製品の柔軟仕上剤、特にタオル、肌着等の吸水性を要求される各種繊維製品の柔軟仕上剤として極めて有効である。